(57)【要約】    【課題】  光学系全体が小型で、高ズーム比で、しかも全ズーム範囲にわたり高い光学性能を有するズームレンズを得ること。    【解決手段】  物体側より像側へ順に、正、負、正、正の屈折力の第１〜第４レンズ群から成り、広角端から望遠端へのズーミングの際に、前記第１レンズ群は像面側に凸形状の軌跡を描いて移動し、前記第２レンズ群は広角端から中間ズーム域にかけて像面側に凸形状の軌跡を描いて移動した後、中間ズーム域から望遠端にかけて物体側に凸形状の軌跡を描いて移動し、前記第３レンズ群は広角端より望遠端において前記第２レンズ群との間隔が狭くなるように移動し、前記第１レンズ群の焦点距離ｆ１、レンズ全系の望遠端での焦点距離ｆｔを各々適切に設定すること。【選択図】    図１
2010134081.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群から成り、
広角端から望遠端へのズーミングの際に、前記第１レンズ群は像面側に凸形状の軌跡を描いて移動し、
前記第２レンズ群は広角端から中間ズーム域にかけて像面側に凸形状の軌跡を描いて移動した後、中間ズーム域から望遠端にかけて物体側に凸形状の軌跡を描いて移動し、
前記第３レンズ群は広角端より望遠端において前記第２レンズ群との間隔が狭くなるように移動し、
前記第１レンズ群の焦点距離をｆ１、レンズ全系の望遠端での焦点距離をｆｔとするとき、
０．３＜ｆ１／ｆｔ＜１．１
なる条件を満足することを特徴とするズームレンズ。
【請求項２】
前記第２レンズ群の焦点距離をｆ２、レンズ全系の広角端での焦点距離をｆｗとするとき、
−１．８＜ｆ２／ｆｗ＜−１．０
なる条件を満足することを特徴とする請求項１に記載のズームレンズ。
【請求項３】
前記第２レンズ群と前記第３レンズ群の広角端に比べ望遠端における光軸方向の変位量をそれぞれｍ２およびｍ３とするとき、
０≦｜ｍ２／ｍ３｜＜１．７
なる条件を満足することを特徴とする請求項１又は２に記載のズームレンズ。
【請求項４】
前記第２レンズ群の広角端から望遠端にかけての移動軌跡において、前記像面側に凸形状の軌跡の頂点と前記物体側に凸形状の軌跡の頂点に対応する前記第２レンズ群の光軸上の位置の距離をΔｍ２とするとき、
０．０１＜｜Δｍ２／ｆ２｜＜０．５０
なる条件を満足することを特徴とする請求項１から３いずれか１項に記載のズームレンズ。
【請求項５】
前記第２レンズ群は、物体側より像側へ順に、複数の負レンズと１以上の正レンズを有することを特徴とする請求項１乃至４のいずれか１項に記載のズームレンズ。
【請求項６】
前記第３レンズ群は、１以上の正レンズ成分と１以上の負レンズ成分からなることを特徴とする請求項１乃至５のいずれか１項に記載のズームレンズ。
【請求項７】
前記第３レンズ群は正レンズを有し、該正レンズは、非球面形状の面を有することを特徴とする請求項１乃至６のいずれか１項に記載のズームレンズ。
【請求項８】
前記第２レンズ群の広角端と望遠端における横倍率をそれぞれβ２ｗ、β２ｔ、前記第３レンズ群の広角端と望遠端における横倍率をそれぞれβ３ｗ、β３ｔとするとき、
７．０＜（β２ｔ・β３ｔ）／（β２ｗ・β３ｗ）＜１５．０
なる条件を満足することを特徴とする請求項１乃至７のいずれか１項に記載のズームレンズ。
【請求項９】
前記第３レンズ群の焦点距離をｆ３とするとき、
０．５＜ｆ３／（ｆｗ・ｆｔ）1/2＜１．１
なる条件を満足することを特徴とする請求項１乃至８のいずれか１項に記載のズームレンズ。
【請求項１０】
前記第２レンズ群は負レンズを有し、該負レンズは、非球面形状の面を有することを特徴とする請求項１乃至９のいずれか１項に記載のズームレンズ。
【請求項１１】
前記第３レンズ群は物体側より像側へ順に、正の第３１レンズ、負の第３２レンズ、正の第３３レンズより成り、該第３１レンズと第３２レンズとの空気間隔をｄ３ａ、該第３レンズ群の第１レンズ面から該第３レンズ群の最終レンズ面までの長さをｄ３とするとき、
０．２５＜ｄ３ａ／ｄ３＜０．５
なる条件を満足することを特徴とする請求項１乃至１０のいずれか１項に記載のズームレンズ。
【請求項１２】
固体撮像素子に像を形成することを特徴とする請求項１乃至１１のいずれか１項に記載のズームレンズ。
【請求項１３】
請求項１から１２のいずれか１項に記載のズームレンズと、該ズームレンズによって形成される像を受光する固体撮像素子とを有していることを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩写真用のカメラ等に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。
【０００３】
そしてそれに用いる撮影光学系として、レンズ全長が短く、コンパクトで高ズーム比（高変倍比）で、しかも高解像力のズームレンズであることが要求されている。
【０００４】
これらの要求に応えるズームレンズとして、物体側の第１レンズ群以外のレンズ群を移動させてフォーカシングを行う、所謂リアフォーカス式のズームレンズが知られている。
【０００５】
一般にリアフォーカス式のズームレンズは第１レンズ群を移動させてフォーカシングを行うズームレンズに比べて第１レンズ群の有効径が小さくなり、レンズ系全体の小型化が容易になる。
【０００６】
また近接撮影、特に極至近撮影が容易となり、さらに小型軽量のレンズ群を移動させているので、レンズ群の駆動力が小さくて済み迅速な焦点合わせが出来る等の特徴がある。
【０００７】
リアフォーカス式のズームレンズとして、物体側より像側へ順に、正の屈折力の第１レンズ群、負の屈折力の第２レンズ群、正の屈折力の第３レンズ群、正の屈折力の第４レンズ群の４つのレンズ群より構成される４群ズームレンズが知られている。
【０００８】
この４群ズームレンズにおいて、第２レンズ群を移動させて変倍を行い、第４レンズ群を移動させて変倍に伴う像面変動の補正とフォーカシングを行うリアフォーカス式のズームレンズが知られている（特許文献１、２）。
【０００９】
又、この４群ズームレンズにおいて、各レンズ群を移動させることによって変倍を行い、第４レンズ群を移動させてフォーカシングを行うズームレンズが知られている（特許文献３、４）。
【００１０】
又、物体側より像側へ順に、正、負、正、正の屈折力のレンズ群を有する４群または５群で第１から第４レンズ群を移動させることによってズーミングを行い、第４レンズ群でフォーカシングを行ったズームレンズが知られている（特許文献５）。
【００１１】
尚、特許文献５の５群ズームレンズでは、ズーミングに際して第５レンズ群は固定である。
【特許文献１】特開平７−２７０６８４号公報
【特許文献２】特開平１１−３０５１２４号公報
【特許文献３】特開２００６−１３３６３２号公報
【特許文献４】特開２００７−２１２５３７号公報
【特許文献５】特開２００６−１７１６５５号公報
【発明の開示】
【発明が解決しようとする課題】
【００１２】
近年、撮像装置に用いるズームレンズには、撮像装置の小型化とともに高ズーム比（高変倍比）で、かつレンズ系全体が小型であることが強く要望されている。
【００１３】
また撮像装置の非使用時に各レンズ群を沈胴して収納し、小型にすることも一般に行われている。
【００１４】
一般に高ズーム比化を図りつつ、ズームレンズを小型化するためには、ズームレンズを構成する各レンズ群の屈折力を強めつつ、レンズ枚数を削減すれば良い。
【００１５】
しかしながら、このように構成したズームレンズは、各レンズ面の屈折力の増加に伴いレンズ肉厚が増してしまい、レンズ系の短縮効果が不十分になると同時に望遠端において色収差などの諸収差の補正が困難になってくる。
【００１６】
また高ズーム比化に伴い、各レンズ及び各レンズ群の組立上の倒れなどの組立上の誤差の影響が大きくなってくる。
【００１７】
レンズ及びレンズ群の偏芯による敏感度が大きいと組立上の誤差に伴う偏芯により光学性能が大きく劣化し、又防振時に光学性能が大きく劣化してくる。
【００１８】
このためズームレンズにおいては、各レンズや各レンズ群の偏芯による敏感度をなるべく小さくするのが望ましい。
【００１９】
前述した４群ズームレンズや５群ズームレンズにおいて、良好な光学性能を確保しながら、高ズーム比化とレンズ系全体の小型化を達成するには各レンズ群の屈折力やレンズ構成、そして各レンズ群のズーミングに伴う移動条件等を適切に設定することが重要となる。
【００２０】
特に、レンズ系全体の小型化を効果的に達成するためには、レンズ全長だけでなく、前玉径および第１レンズ群を構成する各レンズの有効径の小型化が重要になってくる。
【００２１】
一般に第１レンズ群を構成する各レンズは他のレンズ群を構成する各レンズに比べて有効径が大きい。このため、第１レンズ群の有効径を小さくすることができれば、必要なレンズコバを確保するためのレンズ肉厚を薄くすることができ、レンズ全長を短縮することができる。
【００２２】
前述した４群ズームレンズや５群ズームレンズにおいて、レンズ系全体の小型化を図っていくと、第１レンズ群のレンズ有効径は、複数のズームポジションでの光線高さにより決まってくる。
【００２３】
例えば第１レンズ群が物体側から像側へ順に第１、第２、第３レンズより成る場合、第１レンズの有効径は広角端において、マージナル光線高さで決まる。又、第２レンズの有効径はズーム中間域のマージナル光線高さで決まる。又、第３レンズの有効径は望遠端のマージナル光線高さで決まる。
【００２４】
このため、レンズ系全体の小型化を達成するには、各レンズ群の屈折力だけでなく、ズーム中間域を含めた各レンズ群のズーミングにおける移動軌跡を適切に設定することが重要になってくる。
【００２５】
本発明は、光学系全体が小型で、高ズーム比で、しかも全ズーム範囲にわたり高い光学性能が得られるズームレンズ及びそれを有する撮像装置の提供を目的とする。
【課題を解決するための手段】
【００２６】
本発明のズームレンズは、物体側より像側へ順に、正の屈折力の第１レンズ群、負の屈折力の第２レンズ群、正の屈折力の第３レンズ群、正の屈折力の第４レンズ群から成り、
広角端から望遠端へのズーミングの際に、前記第１レンズ群は像面側に凸形状の軌跡を描いて移動し、
前記第２レンズ群は広角端から中間ズーム域にかけて像面側に凸形状の軌跡を描いて移動した後、中間ズーム域から望遠端にかけて物体側に凸形状の軌跡を描いて移動し、
前記第３レンズ群は広角端より望遠端において前記第２レンズ群との間隔が狭くなるように移動し、
前記第１レンズ群の焦点距離をｆ１、レンズ全系の望遠端での焦点距離をｆｔとするとき、
０．３＜ｆ１／ｆｔ＜１．１
なる条件を満足することを特徴としている。
【発明の効果】
【００２７】
本発明によれば、光学系全体が小型で、高ズーム比で、しかも全ズーム範囲にわたり高い光学性能を有するズームレンズが得られる。
【発明を実施するための最良の形態】
【００２８】
本発明のズームレンズは、物体側より像側へ順に、正の屈折力の第１レンズ群、負の屈折力の第２レンズ群、正の屈折力の第３レンズ群、正の屈折力の第４レンズ群から成っている。
【００２９】
広角端から望遠端へのズーミングの際に、第１レンズ群は像面側に凸形状の軌跡を描いて移動する。
【００３０】
第２レンズ群は広角端から中間ズーム域にかけて像面側に凸形状の軌跡を描いて移動した後、中間ズーム域から望遠端にかけて物体側に凸形状の軌跡を描いて移動する。
【００３１】
すなわち、第２レンズ群は、中間ズーム域において２つの頂点を有する軌跡を描くように移動する。このとき、広角端から望遠端へのズーミングに際し、第２レンズ群が最初の頂点を通過するズーム位置を第１の中間ズーム位置、その次の頂点を通過するズーム位置を第２の中間ズーム位置と呼ぶ。
【００３２】
第３レンズ群は広角端より望遠端において前記第２レンズ群との間隔が狭くなるように移動する。
【００３３】
第４レンズ群は広角端から望遠端へのズーミングに際して、物体側に凸状の軌跡を描いて移動する。
【００３４】
第４レンズ群が１以上の頂点（いくつでも良い）を有する軌跡を描くように移動し、無限遠物体に対して合焦しているときの第４レンズ群が最も物体側に位置するズーム位置を、第３の中間ズーム位置と呼ぶ。
【００３５】
第４レンズ群を移動させてフォーカシングを行っている。
【００３６】
図１は、実施例１のズームレンズの広角端（短焦点距離端）におけるレンズ断面図、図２〜図５はそれぞれ実施例１のズームレンズの広角端、第１の中間ズーム位置、第２の中間ズーム位置、望遠端（長焦点距離端）における収差図である。
【００３７】
図６は、実施例２のズームレンズの広角端におけるレンズ断面図、図７〜図１０はそれぞれ実施例２のズームレンズの広角端、第１の中間ズーム位置、第２の中間ズーム位置、望遠端における収差図である。
【００３８】
図１１は、実施例３のズームレンズの広角端におけるレンズ断面図、図１２〜図１６はそれぞれ実施例３のズームレンズの広角端、第１の中間ズーム位置、第２の中間ズーム位置、第３の中間ズーム位置、望遠端における収差図である。
【００３９】
図１７は、実施例４のズームレンズの広角端におけるレンズ断面図、図１８〜図２２はそれぞれ実施例４のズームレンズの広角端、第１の中間ズーム位置、第２の中間ズーム位置、第３の中間ズーム位置、望遠端における収差図である。
【００４０】
図２３は、実施例５のズームレンズの広角端におけるレンズ断面図、図２４〜図２８はそれぞれ実施例５のズームレンズの広角端、第１の中間ズーム位置、第２の中間ズーム位置、第３の中間ズーム位置、望遠端における収差図である。
【００４１】
図２９、図３０は本発明のズームレンズを備えるカメラ（撮像装置）の要部概略図である。
【００４２】
各実施例のズームレンズはビデオカメラやデジタルカメラ等の撮像装置に用いられる撮影レンズ系である。レンズ断面図において、左方が被写体側（前方）で、右方が像側（後方）である。
【００４３】
レンズ断面図において、ｉは物体側からのレンズ群の順番を示し、Ｌｉは第ｉレンズ群である。矢印は、広角端から望遠端へのズーミングにおける各レンズ群の移動軌跡又はフォーカスの際の移動軌跡を示している。
【００４４】
ＳＰは開口絞り（Ｆナンバー決定絞り）である。ＦＰは不要光を遮光するためのフレアー絞りである。Ｇは光学フィルター、フェースプレート、水晶ローパスフィルター、赤外カットフィルター等に相当する光学ブロックである。
【００４５】
ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００４６】
収差図において、ｄ、ｇは各々ｄ線及びｇ線、ΔＭ，ΔＳはメリディオナル像面、サジタル像面、倍率色収差はｇ線によって表している。ωは半画角、ＦｎｏはＦナンバーである。
【００４７】
尚、以下の各実施例において広角端と望遠端は変倍用レンズ群（第２レンズ群Ｌ２、第３レンズ群Ｌ３）が機構上光軸上を移動可能な範囲の両端に位置したときのズーム位置をいう。
【００４８】
各実施例では、広角端から望遠端へのズーミングの際に、第１レンズ群Ｌ１は像面側に凸形状の軌跡を描いて移動する。
【００４９】
第２レンズ群Ｌ２は広角端から中間ズーム域にかけて像面側に凸形状の軌跡を描いて移動した後、中間ズーム域から望遠端にかけて物体側に凸形状の軌跡を描いて移動する。
【００５０】
レンズ断面図の第２レンズ群Ｌ２の移動軌跡に関するＬ２ａ、Ｌ２ｂは第２レンズ群Ｌ２の移動軌跡の第１、第２の頂点である。
【００５１】
第２レンズ群Ｌ２が最初に第１の頂点Ｌ２ａを通過するズーム位置が第１の中間ズーム位置である。その次に第２の頂点Ｌ２ｂを通過するズーム位置が第２の中間ズーム位置である。
【００５２】
第３レンズ群Ｌ３は広角端より望遠端において、第２レンズ群Ｌ２との間隔が狭くなるように移動する。
【００５３】
第４レンズ群Ｌ４は変倍に伴う像面変動を補正すると共に、フォーカシングを行っている。
【００５４】
図１、図６、図１１、図１７の実施例１、２、３、４において第４レンズ群Ｌ４は広角端から望遠端へのズーミングに際して物体側に凸状の軌跡を描いて移動する。
【００５５】
図２３の実施例５では、第４レンズ群Ｌ４は広角端から望遠端へのズーミングに際して物体側に凸形状の軌跡を描き、次いで像側に凸形状の軌跡を描き、最後に物体側に凸形状の軌跡を描いて移動する。
【００５６】
このとき第４レンズ群Ｌ４の移動軌跡は３つの頂点を持つ。
【００５７】
尚、第４レンズ群Ｌ４の移動軌跡は頂点が複数ある移動軌跡で移動すれば良い。レンズ断面図において第４レンズ群Ｌ４の移動軌跡に関するＬ４ｐは無限遠物体に対して合焦しているときで第４レンズ群Ｌ４が最も物体側に位置するズーム位置（第３の中間ズーム位置）である。
【００５８】
第４レンズ群Ｌ４は移動軌跡が、物体側へ凸状の軌跡とすることで、第３レンズ群Ｌ３と第４レンズ群Ｌ４との空間の有効利用を図り、レンズ全長の短縮化を効果的に達成している。
【００５９】
また、望遠端において無限遠物体から近距離物体へフォーカスを行う場合には、矢印４ｃの如く第４レンズ群Ｌ４を前方に繰り出すことで行うリアフォーカス式を採用している。
【００６０】
各実施例のレンズ断面図に示す第４レンズ群Ｌ４の実線の曲線４ａと点線の曲線４ｂは各々無限遠物体と近距離物体にフォーカスしているときの広角端から望遠端へのズーミングに伴う像面変動を補正するための移動軌跡を示している。
【００６１】
各実施例において、第１レンズ群Ｌ１の焦点距離をｆ１、レンズ全系の望遠端での焦点距離をｆｔとする。
【００６２】
このとき、
０．３＜ｆ１／ｆｔ＜１．１            ・・・（１）
なる条件を満足している。
【００６３】
ここで、条件式（１）の技術的意味について説明する。
【００６４】
条件式（１）は、レンズ全系の望遠端における屈折力に対する第１レンズ群Ｌ１の屈折力を規定するものである。
【００６５】
条件式（１）の上限値を超えて、第１レンズ群Ｌ１の屈折力が小さくなりすぎると、ズーミング時の第１レンズ群Ｌ１の移動量が大きくなり、レンズが大型化してくるので良くない。
【００６６】
逆に条件式（１）の下限値を超えて、第１レンズ群Ｌ１の屈折力が大きくなりすぎると、広角端において倍率色収差および望遠端において軸上色収差が大きくなり、ズーム全域で良好な光学性能を達成することが困難と成る。
【００６７】
広角端から望遠端へのズーミングの際に、第１レンズ群Ｌ１は像面側に凸形状の軌跡を描いて移動している。これにより広角端から中間ズーム域（第１の中間ズーム位置ＺＰ１と第２の中間ズーム位置ＺＰ２との間）において入射瞳距離を短くして、前玉有効径の小型化を実現している。
【００６８】
また第２レンズ群Ｌ２は、広角端から中間ズーム域にかけて像面側に凸形状の軌跡を描いて移動した後、中間のズーム域から望遠端にかけて物体側に凸形状の軌跡を描いて移動している。この移動軌跡をとることにより、第１レンズ群Ｌ１を構成するレンズの有効径の小型化を容易にしている。
【００６９】
特に、第２レンズ群Ｌ２を、広角端から中間ズーム域にかけて像面側に凸形状の軌跡を描いて移動することで、広角端近傍でのズーム位置において入射瞳距離を短くし、前玉（第１レンズ群Ｌ１）有効径の小型化を行っている。
【００７０】
広角端近傍のズーム位置において、マージナル光線は前玉の光軸から高い位置を通過する。このため、広角端から中間のズーム位置にかけて第２レンズ群Ｌ２を第１レンズ群Ｌ１と共に像面側に移動させて、前玉と絞りとの間隔を短くすることで前玉径を小型にしている。
【００７１】
ズームレンズを構成する各レンズ群の中でも有効径の大きな前玉径を小さくすれば、レンズ製作に必要なコバの長さを確保するためのレンズ肉厚を薄くすることができ、レンズ全長の小型化が容易となる。
【００７２】
広角端近傍においてマージナル光線は、第１レンズ群Ｌ１内を通過するとき、各レンズ面への光線入射高が大きい。このため、第１レンズ群Ｌ１を構成する各レンズのうち、像面側に、より近いレンズの有効径は次に述べる理由により中間ズーム域から望遠端にかけてのマージナル光線の入射高さで決まることが多い。
【００７３】
中間ズーム域から望遠端にかけては、第２レンズ群Ｌ２の移動で変倍比を確保するために、第１レンズ群Ｌ１が物体側に移動し、絞りＳＰからは遠ざかる。このため、第１レンズ群Ｌ１を構成する各レンズを通過するマージナル光線の入射高さは高くなる。
【００７４】
第２レンズ群Ｌ２は、像面側に凹面を向けたメニスカス形状の負レンズＧ２１を有するため、第２レンズ群Ｌ２を物体側に移動することは入射瞳位置を物体側に移動する効果がある。
【００７５】
そこで中間ズーム域から望遠端にかけて第２レンズ群Ｌ２を物体側に凸形状の軌跡を描くように一旦物体側に移動させている。これにより、第２の中間ズーム位置ＺＰ２近傍で入射瞳位置を物体側に移動させて、第１レンズ群Ｌ１のレンズ構成の有効径を小型にしている。
【００７６】
第３レンズ群Ｌ３は広角端より望遠端へのズーミングに際して第２レンズ群Ｌ２との間隔が狭くなるように物体側へ移動する。これにより、第３レンズ群Ｌ３に変倍効果を持たせて、ズーミングに伴う球面収差や像面湾曲の変動を効果的に抑制している。
【００７７】
各実施例は、以上のように構成することにより、光学系全体が小型で、高ズーム比で、しかも全ズーム範囲にわたり軸上色収差、倍率色収差、球面収差、および像面湾曲等の諸収差を良好に補正し、高い光学性能を得ている。
【００７８】
各実施例においてさらに好ましくは次の諸条件のうちの１以上を満足するのが良い。
【００７９】
レンズ全系の広角端における焦点距離をｆｗとする。
【００８０】
第２レンズ群Ｌ２と第３レンズ群Ｌ３の焦点距離をそれぞれｆ２、ｆ３とする。
【００８１】
第２レンズ群Ｌ２と第３レンズ群Ｌ３の広角端に比べ望遠端における光軸方向の変位量をそれぞれｍ２、ｍ３とする。但し、変位量の符号は像側へ変移したときを正、その逆を負とする。
【００８２】
第２レンズ群Ｌ２の広角端から望遠端へのズーミングにかけての移動軌跡において、２つの頂点Ｌ２ａ、Ｌ２ｂに対応する第２レンズ群Ｌ２の光軸上の位置の距離をΔｍ２とする。
【００８３】
第２レンズ群Ｌ２の広角端および望遠端における横倍率をそれぞれβ２ｗおよびβ２ｔとする。
【００８４】
第３レンズ群Ｌ３の広角端および望遠端における横倍率をそれぞれβ３ｗおよびβ３ｔとする。
【００８５】
このとき
−１．８＜ｆ２／ｆｗ＜−１．０                            ・・・（２）
０≦｜ｍ２／ｍ３｜＜１．７                                ・・・（３）
０．０１＜｜Δｍ２／ｆ２｜＜０．５０                      ・・・（４）
７．０＜（β２ｔ・β３ｔ）／（β２ｗ・β３ｗ）＜１５．０  ・・・（５）
０．５＜ｆ３／（ｆｗ・ｆｔ）1/2＜１．１                  ・・・（６）
なる条件のうち１以上を満足するのが良い。
【００８６】
次に前述した各条件式の技術的意味について説明する。
【００８７】
条件式（２）は、第２レンズ群Ｌ２の屈折力を規定するものである。
【００８８】
条件式（２）の上限値を超えて第２レンズ群Ｌ２の屈折力が小さく（弱く）なりすぎると、ズーミングに伴う第１レンズ群Ｌ１の移動量が大きくなりすぎ、第１レンズ群Ｌ１を構成するレンズの有効径が増加し、レンズ全長が大型化してくるので良くない。
【００８９】
逆に条件式（２）の下限値を超えて第２レンズ群Ｌ２の屈折力が大きく（弱く）なりすぎると、ズーミングに伴う第２レンズ群Ｌ２で発生する倍率色収差とコマ収差等の変動が大きくなりすぎ、これらの収差を他のレンズ群で補正するのが難しくなる。
【００９０】
条件式（３）は、第２レンズ群Ｌ２と第３レンズ群Ｌ３のズーミング時の移動量を規定するものである。
【００９１】
条件式（３）の上限値を超えて第３レンズ群Ｌ３の移動量が小さくなりすぎると、第３レンズ群Ｌ３が分担する変倍比が小さくなりすぎ、光ズーム比化（高変倍比）が困難となる。
【００９２】
また高ズーム比化を達成するために第３レンズ群Ｌ３の屈折力を強めると、第３レンズ群Ｌ３で発生する球面収差と像面湾曲が大きくなりすぎ、これらの収差を他のレンズ群で補正するのが難しくなる。
【００９３】
条件式（３）の下限値の値ｏは、第２レンズ群Ｌ２の広角端と望遠端での光軸上の位置が一致することを意味する。
【００９４】
この場合も中間ズーム域でズーミングに際して第２レンズ群Ｌ２は移動しており、また第１レンズ群Ｌ１が移動することで第２レンズ群Ｌ２に十分な変倍比を付与することが可能である。
【００９５】
条件式（４）は、第２レンズ群Ｌ２の移動軌跡を規定するものである。
【００９６】
条件式（４）の上限値を超えて、距離Δｍ２が大きくなりすぎると第２レンズ群Ｌ２の移動軌跡の２つの頂点Ｌ２ａ、Ｌ２ｂの第１の中間ズーム位置ＺＰ１と第２の中間ズーム位置ＺＰ２の間における中間ズーム域での像面湾曲と非点収差の変動が大きくなる。
【００９７】
逆に条件式（４）の下限値を超えて、距離Δｍ２が小さくなりすぎると、中間ズーム域において第２レンズ群Ｌ２を物体側に移動させて入射瞳位置を物体側に近づける効果が小さくなりすぎる。この結果、第１レンズ群Ｌ１を構成する各レンズの有効径を小型にすることが困難となる。
【００９８】
条件式（５）は、第２レンズ群Ｌ２および第３レンズ群Ｌ３の変倍比を規定するものである。
【００９９】
条件式（５）の上限値を超えて第２レンズ群Ｌ２および第３レンズ群Ｌ３の変倍比が大きくなりすぎると、ズーミングに伴う倍率色収差、コマ収差、像面湾曲等の諸収差の変動が大きくなりすぎるので良くない。
【０１００】
逆に条件式（５）の下限値を超えて第２レンズ群Ｌ２および第３レンズ群Ｌ３の変倍比が小さくなりすぎると、レンズ系全体として高ズーム比化（高変倍比）を達成することが困難となる。
【０１０１】
条件式（６）は第３レンズ群Ｌ３の屈折力を規定するものである。
【０１０２】
条件式（６）の上限値を超えて第３レンズ群Ｌ３の屈折力が弱くなりすぎると、第３レンズ群Ｌ３のズーミングにおける移動距離が長くなり、レンズ全長が長くなるので良くない。
【０１０３】
逆に条件式（６）の下限値を超えて第３レンズ群Ｌ３の屈折力が強くなりすぎると、第３レンズ群Ｌ３で発生する球面収差と像面湾曲が大きくなりすぎて、これらの諸収差を他のレンズ群で補正するのが難しくなる。
【０１０４】
なお、更に好ましくは条件式（１）〜（６）の数値範囲を次の如く設定するのが良い。
【０１０５】
０．４５＜ｆ１／ｆｔ＜１．００                            ・・・（１ａ）
−１．７＜ｆ２／ｆｗ＜−１．１                            ・・・（２ａ）
０≦｜ｍ２／ｍ３｜＜１．５                                ・・・（３ａ）
０．０１＜｜Δｍ２／ｆ２｜＜０．４０                      ・・・（４ａ）
７．５＜（β２ｔ・β３ｔ）／（β２ｗ・β３ｗ）＜１４．０  ・・・（５ａ）
０．６＜ｆ３／（ｆｗ・ｆｔ）1/2＜１．０                  ・・・（６ａ）
また、さらに好ましくは以下の数値範囲を次の如く設定すると、先に述べた各条件式が意味する効果を最大限に得られる。
【０１０６】
０．５５＜ｆ１／ｆｔ＜０．９０                            ・・・（１ｂ）
−１．６＜ｆ２／ｆｗ＜−１．２                            ・・・（２ｂ）
０≦｜ｍ２／ｍ３｜＜１．３０                              ・・・（３ｂ）
０．０１＜｜Δｍ２／ｆ２｜＜０．３                        ・・・（４ｂ）
８．０＜（β２ｔ・β３ｔ）／（β２ｗ・β３ｗ）＜１３．０  ・・・（５ｂ）
０．７＜ｆ３／（ｆｗ・ｆｔ）1/2＜０．９                  ・・・（６ｂ）
第２レンズ群Ｌ２は、物体側より像側へ順に、複数の負レンズと１以上の正レンズを有するように構成することが望ましい。
【０１０７】
第２レンズ群Ｌ２をこのようなレンズ構成にすることにより、変倍に必要な十分な屈折力を持たせると共に、ズーミングに伴う倍率色収差とコマ収差等の諸収差の変動を良好に補正している。
【０１０８】
第２レンズ群Ｌ２の少なくとも１つの負レンズは非球面形状の面を有することが望ましい。
【０１０９】
非球面形状の面を用いることで、広角端での歪曲と非点収差を良好に補正できる。
【０１１０】
第３レンズ群Ｌ３は、１以上の正レンズ成分と１以上の負レンズ成分から構成することが望ましい。ここでレンズ成分とは単一レンズ及び接合レンズを含む。
【０１１１】
第３レンズ群Ｌ３をこのようなレンズ構成にすることにより、変倍に必要な十分な屈折力を持たせると共に、ズーミングに伴う球面収差と像面湾曲等の諸収差の変動を良好に補正している。
【０１１２】
また第３レンズ群Ｌ３の少なくとも１つの正レンズは、非球面形状の面を有することが望ましい。
【０１１３】
非球面形状の面を用いることで、ズーミングに伴う球面収差の変動を良好に補正できる。
【０１１４】
次に各実施例の具体的なレンズ構成の特徴について説明する。以下、レンズ構成は特に断りがない限り、物体側から像側へ順に配置されているとして説明する。
【０１１５】
各実施例において、第１レンズ群Ｌ１は、物体側の面が凸でメニスカス形状の負レンズＧ１１と正レンズＧ１２とを接合した接合レンズ、物体側の面が凸でメニスカス形状の正レンズＧ１３より構成している。
【０１１６】
第１レンズ群Ｌ１を３枚のレンズで構成することで、高ズーム比（高変倍）ながら球面収差と、軸上色収差および倍率色収差の各色収差補正を良好に行っている。
【０１１７】
第２レンズ群Ｌ２は物体側から順に、物体側の面が凸でメニスカス形状の負レンズＧ２１、像面側の面が凹形状の負レンズＧ２２、物体側の面が凸形状の正レンズＧ２３の３枚で構成し、ズーミングに伴う収差変動を抑制している。
【０１１８】
また負レンズＧ２１は、両レンズ面を非球面形状としており、特に広角端において歪曲と非点収差を効果的に補正している。
【０１１９】
各実施例において、第３レンズ群Ｌ３は２つの正レンズと１つの負レンズより構成している。
【０１２０】
実施例１〜４では、物体側から順に固定絞りＳＰ、物体側の面が凸形状の正レンズ（正の第３１レンズ）Ｇ３１、像面側の面が凹形状の負レンズ（負の第３２レンズ）Ｇ３２、像面側の面が凸形状の正レンズ（正の第３３レンズ）Ｇ３３から構成している。
【０１２１】
第３レンズ群Ｌ３をこのように構成すると、第３レンズ群Ｌ３の物体側主点を正レンズＧ３１の物体側の面の近傍に配置することができ、前玉径の小型化に有利である。
【０１２２】
一方、ズーム全域にわたって像面湾曲および非点収差の変動を十分に補正するためには、正レンズＧ３１と負レンズＧ３２とはある所定の空気間隔が必要である。
【０１２３】
正レンズＧ３１と負レンズＧ３２との空気間隔をｄ３ａ、第３レンズ群Ｌ３の第１レンズ面から第３レンズ群Ｌ３の最終レンズ面までの長さをｄ３とするとき、以下の条件式（７）を満足することが望ましい。
【０１２４】
０．２５＜ｄ３ａ／ｄ３＜０．５                  ・・・（７）
条件式（７）の上限値を超えて空気間隔ｄ３ａが長くなりすぎると、レンズ全長が大型化してしまう。
【０１２５】
逆に条件式（７）の下限値を超えて空気間隔ｄ３ａが短くなりすぎると、ズーミングに伴う像面湾曲および非点収差の変動が大きくなりすぎて、これらの諸収差を他のレンズ群で補正するのが難しくなる。
【０１２６】
好ましくは条件式（７）の数値範囲を次の如く設定するのが良い。
【０１２７】
０．３０＜ｄ３ａ／ｄ３＜０．４６                ・・・（７ａ）
また、さらに好ましくは以下の数値範囲を次の如く設定すると、条件式が意味する効果を最大限に得られる。
【０１２８】
０．３３＜ｄ３ａ／ｄ３＜０．４３                ・・・（７ｂ）
なお正レンズＧ３１と負レンズＧ３２との間の空気間隔は、可変絞り、ＮＤフィルター等の光量可変素子やシャッター等を配置することで有効利用することができる。
【０１２９】
これにより第３レンズ群Ｌ３の物体側に光量可変素子やシャッターを配置するためのスペースが不要になり、望遠端で第２レンズ群Ｌ２と第３レンズ群Ｌ３とを近接させることができるので、レンズ全長の小型化に有利である。
【０１３０】
また光量可変素子とシャッターのどちらか一方を第３レンズ群Ｌ３と第４レンズ群Ｌ４との間に配置してもよい。
【０１３１】
実施例５では、第３レンズ群Ｌ３を物体側から順に可変絞りＳＰ、物体側の面が凸形状の正レンズＧ３１、物体側の面が凸形状の正レンズＧ３２と像面側の面が凹形状の負レンズＧ３３との接合レンズから構成している。
【０１３２】
第３レンズ群Ｌ３をこのように構成にすると、正レンズＧ３１と正レンズＧ３２との間隔は、実施例１〜４の構成に比べて、より小さくすることができるので、第３レンズ群Ｌ３のレンズ厚みを小さくすることができる。
【０１３３】
そのため、沈胴時に各レンズ群をコンパクトにたたんだときの沈胴長を短くするのに有利である。
【０１３４】
実施例１〜４の構成では、シャッター、ＮＤフィルター等の光量調整素子は、第２レンズ群Ｌ２と第３レンズ群Ｌ３との間や、第３レンズ群Ｌ３中や、又は第３レンズ群Ｌ３と第４レンズ群Ｌ４との間に配置することができる。  以上の各実施例において、第３レンズ群Ｌ３の一部あるいは全部を光軸と垂直方向の成分を持つように移動させて、ズームレンズが振動したときの撮影画像のブレを補正するようにしても良い。
【０１３５】
また各実施例では、第３レンズ群Ｌ３の最も像面側に、フレアー絞りＳＰを配置し、不要光を遮光している。
【０１３６】
各実施例において、第４レンズ群Ｌ４は１つの正レンズ成分より構成している。
【０１３７】
実施例１、３〜５では第４レンズ群Ｌ４を正レンズ１枚より構成し、レンズの小型化を図っている。
【０１３８】
実施例４では、第４レンズ群Ｌ４の正レンズの物体側のレンズ面を非球面として、フォーカシングに伴う像面湾曲収差と非点収差の変動を小さくしている。
【０１３９】
なお像面側のレンズ面を非球面形状としても同様の効果が得られる。
【０１４０】
実施例２では、第４レンズ群Ｌ４を正レンズと負レンズの接合レンズより構成し、望遠端において倍率色収差とフォーカシング時の像面湾曲の変動の抑制を図っている。
【０１４１】
また各実施例におけるズーミングに伴う歪曲の変動は、固体撮像素子を用いた電子撮像装置では、撮影画像のデジタル処理を行う際に電子的に歪曲補正を行っても良い。
【０１４２】
次に、本発明の実施形態１〜５に各々対応する数値実施例１〜５を示す。
【０１４３】
各数値実施例において面番号は物体側からの光学面の順序を示し、ｒは光学面の曲率半径、ｄは面間隔、ｎｄとνｄはそれぞれｄ線に対する光学部材の材料の屈折率、アッベ数を示す。
【０１４４】
バックフォーカス（ＢＦ）は、レンズ最終面から近軸像面までの距離を空気換算した値、レンズ全長は、レンズ最前面からレンズ最終面までの距離にバックフォーカス（ＢＦ）を加えた値と定義する。長さの単位は、ｍｍである。
【０１４５】
またKを離心率、A4、A6、A8、A10を非球面係数、光軸からの高さHの位置での光軸方向の変位を面頂点を基準にしてｘとするとき、非球面形状は、
【０１４６】
【数１】
2010134081.tif 000003
で表示される。
【０１４７】
但しＲは曲率半径である。また例えば「Ｅ−Ｚ」の表示は「１０-Z」を意味する。また、各数値実施例における上述した条件式との対応を表１に示す。ｆは焦点距離、ＦｎｏはＦナンバー、ωは半画角を示す。
【０１４８】
数値実施例１〜５において、最も像側の２つの面はフィルター部材を構成する面である。尚、数値実施例１〜４においてｄ１２の値が負となっているが、これは物体側から像側へ順に開口絞りＳＰ、第３レンズ群Ｌ３の最も物体側のレンズ面と数えたためである。
【０１４９】
又、数値実施例１〜４において、ｄ１８の値が負となっているのは物体側から像側へ順に第３レンズ群Ｌ３の最も像側のレンズ面、フレアー絞りＦＰと数えたためである。
【０１５０】
［数値実施例１］
面データ
面番号       r        d      nd         νd
1         37.991    1.10   1.84666    23.9           
2         23.467    3.05   1.48749    70.2           
3        410.568    0.20                             
4         24.414    2.35   1.69680    55.5           
5         92.061  (可変)                             
6*       105.108    1.00   1.84862    40.0           
7*         4.720    2.80                             
8        -17.005    0.60   1.71300    53.9           
9        114.238    0.20                             
10         12.565    1.30   1.94595    18.0           
11         54.984  (可変)                             
12(絞り)    ∞      -0.20                             
13*         9.406    1.65   1.76753    49.3           
14        -28.447    2.50                             
15         42.142    0.60   1.92286    18.9           
16          8.493    0.49                             
17        -59.394    1.25   1.48749    70.2           
18         -7.856   -0.10                             
19フレアー絞り  ∞     (可変)                             
20         12.400    1.75   1.48749    70.2           
21        601.583  (可変)                             
22          ∞       1.00   1.51633    64.1           
23          ∞       0.87                             
像面        ∞   
非球面データ
第6面
K  = 0.00000e+000  A 8=-6.14276e-008  A10= 9.77866e-010  
第7面
K  =-1.56696e+000  A 4= 1.44884e-003  A 6= 1.52014e-005 
A 8=-4.75276e-007  
第13面
K  =-4.57127e+000  A 4= 3.14925e-004  A 6=-5.97405e-006 
A 8=-9.88344e-008  
各種データ
ズーム比      9.64 
広角    中間１   中間２    望遠
焦点距離       5.13     8.60    13.60    49.41  
Fナンバー      3.60     4.29     4.76     5.44  
画角          35.68    24.25    15.91     4.48  
像高           3.68     3.88     3.88     3.88  
レンズ全長    47.67    46.34    51.86    65.12  
BF             6.63     9.59    11.54     6.95  
d 5            0.80     2.59     7.93    21.91  
d11           14.55     7.37     4.47     0.60  
d19            5.15     6.25     7.38    15.13  
d21            5.10     8.06    10.02     5.42  
ズームレンズ群データ
群  始面    焦点距離  
1    1      37.39  
2    6      -6.64  
3   12      12.05  
4   20      25.95  
【０１５１】
［数値実施例２］
面データ
面番号       r        d      nd         νd
1         48.335    1.15   1.84666    23.9           
2         27.090    3.20   1.48749    70.2           
3       -217.337    0.20                             
4         23.552    2.30   1.69680    55.5           
5         70.228  (可変)                             
6*        65.879    1.00   1.84862    40.0           
7*         4.810    3.13                             
8        -11.695    0.60   1.80400    46.6           
9        -79.580    0.20                             
10         17.486    1.35   1.94595    18.0           
11       -157.677  (可変)                             
12(絞り)    ∞      -0.20                             
13*        10.042    1.65   1.76753    49.3           
14        -37.510    2.50                             
15         31.005    0.60   1.92286    18.9           
16          9.117    0.52                             
17        -34.472    1.20   1.48749    70.2           
18         -8.198   -0.10                             
19          ∞     (可変)                             
20         12.715    2.65   1.48749    70.2           
21        -17.995    0.60   1.83400    37.2           
22        -46.607  (可変)                             
23          ∞       0.70   1.51633    64.1           
24          ∞       1.09                             
像面        ∞   
非球面データ
第6面
K  = 0.00000e+000  A 8=-5.39028e-008  A10= 8.28382e-010  
第7面
K  =-1.93021e+000  A 4= 1.79188e-003  A 6= 8.34873e-007 
A 8= 7.24157e-008  
第13面
K  =-3.77479e+000  A 4= 1.58413e-004  A 6= 4.53171e-007 
A 8=-2.49737e-007  
各種データ
ズーム比     11.42 
広角    中間１   中間２    望遠
焦点距離       5.13     8.46    21.73    58.52  
Fナンバー      3.60     4.24     5.10     5.78  
画角          35.68    24.60    10.11     3.79  
像高           3.68     3.88     3.88     3.88  
レンズ全長    51.30    50.64    63.30    71.65  
BF             6.91     9.67    12.75     6.32  
d 5            0.80     3.01    14.28    23.12  
d11           15.63     8.56     3.33     0.60  
d19            5.42     6.85    10.40    19.06  
d22            5.36     8.12    11.20     4.77  
ズームレンズ群データ
群  始面    焦点距離  
1    1      38.00  
2    6      -6.65  
3   12      13.11  
4   20      27.06  
【０１５２】
［数値実施例３］
面データ
面番号       r        d      nd         νd
1         38.793    0.85   1.92286    18.9           
2         25.237    2.80   1.69680    55.5           
3        189.882    0.20                             
4         24.986    1.90   1.77250    49.6           
5         58.352  (可変)                             
6*     -61426.222    0.85   1.84862    40.0           
7*         4.620    2.91                             
8        -19.907    0.55   1.71300    53.9           
9         25.510    0.20                             
10         12.054    1.15   1.94595    18.0           
11        108.693  (可変)                             
12(絞り)    ∞      -0.20                             
13*         8.253    1.20   1.76753    49.3           
14        -34.623    2.10                             
15         24.644    0.50   1.94595    18.0           
16          7.483    0.58                             
17        -87.667    0.95   1.49700    81.5           
18         -8.052   -0.10                             
19          ∞     (可変)                             
20         11.250    1.75   1.48749    70.2           
21       -168.108  (可変)                             
22          ∞       0.80   1.51633    64.1           
23          ∞       0.50                            
像面        ∞   
非球面データ
第6面
K  = 0.00000e+000  A 8= 9.71865e-009  A10=-1.78827e-010  
第7面
K  =-2.00370e+000  A 4= 2.06660e-003  A 6=-1.13015e-005 
A 8= 8.35449e-007  
第13面
K  =-6.73213e+000  A 4= 1.05442e-003  A 6=-5.40410e-005 
A 8= 2.74200e-006  
各種データ
ズーム比      9.86 
広角     中間１    中間２  中間３    望遠
焦点距離       4.30     6.15     8.40    20.13    42.40  
Fナンバー      3.60     4.07     4.50     4.81     5.15  
画角          39.02    32.20    24.77    10.90     5.22  
像高           3.48     3.88     3.88     3.88     3.88  
レンズ全長    44.00    41.54    44.38    54.02    58.79  
BF             5.63     7.17     7.86     9.90     6.58  
d 5            0.80     1.00     3.45    14.45    20.42  
d11           14.16     8.71     6.42     2.66     0.68  
d19            5.21     6.46     8.45     8.82    12.90  
d21            4.60     6.14     6.84     8.87     5.56  
ズームレンズ群データ
群  始面    焦点距離  
1    1      34.50  
2    6      -5.95  
3   12      11.11  
4   20      21.70  
【０１５３】
［数値実施例４］
面データ
面番号       r        d      nd         νd
1         38.471    0.85   1.92286    18.9           
2         24.964    2.70   1.69680    55.5           
3        163.910    0.15                             
4         24.170    1.90   1.77250    49.6           
5         53.557  (可変)                             
6*      -646.504    0.80   1.84862    40.0           
7*         4.458    2.90                             
8        -35.999    0.50   1.88300    40.8           
9         17.990    0.18                             
10         10.616    1.30   1.94595    18.0           
11        110.906  (可変)                             
12(絞り)    ∞      -0.20                             
13*         7.706    1.20   1.76753    49.3           
14        -31.715    1.85                             
15         17.874    0.50   1.94595    18.0           
16          6.536    0.66                             
17        -32.501    0.90   1.49700    81.5           
18         -7.036   -0.10                             
19          ∞     (可変)                             
20*        16.818    1.40   1.55000    71.2           
21        -60.312  (可変)                             
22          ∞       0.80   1.51633    64.1           
23          ∞       0.50                            
像面        ∞   
非球面データ
第6面
K  = 0.00000e+000  A 8= 2.46822e-009  A10=-1.14897e-011  
第7面
K  =-2.32957e+000  A 4= 2.70445e-003  A 6=-3.21252e-005 
A 8= 1.26503e-006  
第13面
K  =-3.02657e+000  A 4= 2.47255e-004  A 6= 4.06654e-006 
A 8=-1.78084e-006  
第20面
K  = 3.84639e+000  A 4=-4.80594e-005  
各種データ
ズーム比     12.65 
広角    中間１    中間２  中間３    望遠
焦点距離       3.88     5.97     7.39    22.60    49.10  
Fナンバー      3.60     4.22     4.53     4.96     5.54  
画角          40.66    32.97    27.68     9.73     4.51  
像高           3.33     3.88     3.88     3.88     3.88  
レンズ全長    43.77    40.89    42.49    54.60    59.21  
BF             5.03     6.36     6.80    10.07     4.93  
d 5            0.65     0.76     2.28    16.03    21.64  
d11           15.18     8.86     7.20     2.26     0.50  
d19            5.42     7.42     8.72     8.76    14.65  
d21            4.00     5.33     5.78     9.04     3.90  
ズームレンズ群データ
群  始面    焦点距離  
1    1      35.12  
2    6      -5.70  
3   12      10.47  
4   20      24.07  
【０１５４】
［数値実施例５］
面データ
面番号       r        d      nd         νd
1         36.720    0.80   1.84666    23.9           
2         22.378    2.80   1.48749    70.2           
3      -2413.968    0.15                             
4         22.140    2.05   1.69680    55.5           
5         83.533  (可変)                             
6*        68.050    0.80   1.84862    40.0           
7*         5.364    2.93                             
8        -18.471    0.50   1.88300    40.8           
9         22.226    0.18                             
10         12.601    1.30   1.92286    18.9           
11       -109.743  (可変)                             
12(絞り)    ∞       0.43                             
13*         5.008    1.50   1.58313    59.4           
14*       -28.428    0.40                             
15          7.352    1.10   1.48749    70.2           
16          6.298    0.50   1.94595    18.0           
17          3.760    0.35                             
18          ∞     (可変)                             
19         11.018    1.75   1.49700    81.5           
20        -39.365  (可変)                             
21          ∞       0.70   1.51633    64.1           
22          ∞       1.13                             
像面        ∞   
非球面データ
第6面
K  = 0.00000e+000  A 8= 3.64792e-008  A10=-7.41911e-010  
第7面
K  =-2.03829e+000  A 4= 1.59317e-003  A 6=-9.70842e-006 
A 8= 1.22842e-006  
第13面
K  =-3.50406e+000  A 4= 2.75758e-003  A 6=-9.13630e-005 
A 8= 7.38333e-006  
第14面
K =-3.86721e+001  A 4= 1.39448e-004  A 6= 4.77069e-005  
各種データ
ズーム比      9.63 
広角     中間１   中間２  中間３    望遠
焦点距離       5.13     6.02     6.67    22.36    49.41  
Fナンバー      3.60     3.84     4.17     4.78     4.89  
画角          35.67    32.78    30.16     9.83     4.48  
像高           3.68     3.88     3.88     3.88     3.88  
レンズ全長    44.68    43.22    43.18    52.37    55.88  
BF             7.04     7.79     7.92    10.95     6.25  
d 5            0.65     0.80     0.19    13.92    19.81  
d11           15.21    12.49    11.17     3.60     0.58  
d18            4.24     4.60     6.36     6.36    11.71  
d20            5.44     6.20     6.33     9.36     4.66  
ズームレンズ群データ
群  始面    焦点距離  
1    1      32.99  
2    6      -6.85  
3   12      12.29  
4   19      17.52  
【０１５５】
【表１】
2010134081.tif 000004
各実施例では、以上のように構成することによって、小型、高ズーム比化を達成している。更に全ズーム範囲にわたり球面収差、コマ収差、像面湾曲、軸上色収差、倍率色収差等の諸収差が良好に補正された高画素のデジタルカメラ、ビデオカメラ等に対応可能な高性能なズームレンズを達成している。
【０１５６】
次に本発明のズームレンズを撮影光学系として用いたデジタルスチルカメラの実施例を図２９を用いて説明する。
【０１５７】
図２９において、２０はカメラ本体、２１は実施例１〜５で説明したいずれかのズームレンズによって構成された撮影光学系である。
【０１５８】
２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。
【０１５９】
２４は液晶ディスプレイパネル等によって構成され、固体撮像素子２２上に形成された被写体像を観察するためのファインダである。
【０１６０】
次に本発明のズームレンズを撮影光学系として用いたビデオカメラ（光学機器）の実施例を図３０を用いて説明する。
【０１６１】
図３０において、１０はビデオカメラ本体、１１は実施例１〜５で説明したいずれかのズームレンズによって構成された撮影光学系である。
【０１６２】
１２はカメラ本体に内蔵され、撮影光学系１１によって形成された被写体像を受光するＣＣＤセンサやＣＭＯＳセンサ等の固体撮像素子（光電変換素子）である。１３は固体撮像素子１２によって光電変換された被写体像に対応する情報を記録する記録手段である。
１４は不図示の表示素子に表示された被写体像を観察するためのファインダである。
【０１６３】
上記表示素子は液晶パネル等によって構成され、撮像素子１２上に形成された被写体像が表示される。
【０１６４】
このように本発明のズームレンズをデジタルスチルカメラやビデオカメラ等の撮像装置に適用することにより、小型で高い光学性能を有する撮像装置が実現できる。
【図面の簡単な説明】
【０１６５】
【図１】本発明の数値実施例１の広角端におけるレンズ断面図
【図２】本発明の数値実施例１の広角端の収差図
【図３】本発明の数値実施例１の第１の中間ズーム位置の収差図
【図４】本発明の数値実施例１の第２の中間ズーム位置の収差図
【図５】本発明の数値実施例１の望遠端の収差図
【図６】本発明の数値実施例２の広角端におけるレンズ断面図
【図７】本発明の数値実施例２の広角端の収差図
【図８】本発明の数値実施例２の第１の中間ズーム位置の収差図
【図９】本発明の数値実施例２の第２の中間ズーム位置の収差図
【図１０】本発明の数値実施例２の望遠端の収差図
【図１１】本発明の数値実施例３の広角端におけるレンズ断面図
【図１２】本発明の数値実施例３の広角端の収差図
【図１３】本発明の数値実施例３の第１の中間ズーム位置の収差図
【図１４】本発明の数値実施例３の第２の中間ズーム位置の収差図
【図１５】本発明の数値実施例３の第３の中間ズーム位置の収差図
【図１６】本発明の数値実施例３の望遠端の収差図
【図１７】本発明の数値実施例４の広角端におけるレンズ断面図
【図１８】本発明の数値実施例４の広角端の収差図
【図１９】本発明の数値実施例４の第１の中間ズーム位置の収差図
【図２０】本発明の数値実施例４の第２の中間ズーム位置の収差図
【図２１】本発明の数値実施例４の第３の中間ズーム位置の収差図
【図２２】本発明の数値実施例４の望遠端の収差図
【図２３】本発明の数値実施例５の広角端におけるレンズ断面図
【図２４】本発明の数値実施例５の広角端の収差図
【図２５】本発明の数値実施例５の第１の中間ズーム位置の収差図
【図２６】本発明の数値実施例５の第２の中間ズーム位置の収差図
【図２７】本発明の数値実施例５の第３の中間ズーム位置の収差図
【図２８】本発明の数値実施例５の望遠端の収差図
【図２９】本発明のズームレンズをデジタルカメラに適用したときの要部概略図
【図３０】本発明のズームレンズをビデオカメラに適用したときの要部概略図
【符号の説明】
【０１６６】
Ｌ１  第１レンズ群
Ｌ２  第２レンズ群
Ｌ３  第３レンズ群
Ｌ４  第４レンズ群
ｄ  ｄ線
ｇ  ｇ線
ΔＭ  メリディオナル像面
ΔＳ  サジタル像面
ＳＰ  開口絞り
ＦＰ  フレアーカット絞り
ＩＰ  像面
Ｇ  ガラスブロック
【図１】
2010134081.tif 000005
【図２】
2010134081.tif 000006
【図３】
2010134081.tif 000007
【図４】
2010134081.tif 000008
【図５】
2010134081.tif 000009
【図６】
2010134081.tif 000010
【図７】
2010134081.tif 000011
【図８】
2010134081.tif 000012
【図９】
2010134081.tif 000013
【図１０】
2010134081.tif 000014
【図１１】
2010134081.tif 000015
【図１２】
2010134081.tif 000016
【図１３】
2010134081.tif 000017
【図１４】
2010134081.tif 000018
【図１５】
2010134081.tif 000019
【図１６】
2010134081.tif 000020
【図１７】
2010134081.tif 000021
【図１８】
2010134081.tif 000022
【図１９】
2010134081.tif 000023
【図２０】
2010134081.tif 000024
【図２１】
2010134081.tif 000025
【図２２】
2010134081.tif 000026
【図２３】
2010134081.tif 000027
【図２４】
2010134081.tif 000028
【図２５】
2010134081.tif 000029
【図２６】
2010134081.tif 000030
【図２７】
2010134081.tif 000031
【図２８】
2010134081.tif 000032
【図２９】
2010134081.tif 000033
【図３０】
2010134081.tif 000034